(57)【要約】  【課題】  編集処理により刺繍模様の縫製に最適な刺繍枠の種類が変更されたことを作業者に確実に報知して認識させるようにすること。  【解決手段】  模様選択手段により選択された刺繍模様について、編集処理前の刺繍模様について、その刺繍模様の縫製に使用可能な刺繍枠が検出され（Ｓ31〜Ｓ33）、使用可能な刺繍枠が有効表示且つ使用不可能な刺繍枠はグレー表示される（Ｓ34〜Ｓ36）。一方、編集処理後の刺繍模様の縫製に使用可能な刺繍枠が検出され（Ｓ41〜Ｓ44）、使用可能な刺繍枠が有効表示且つ使用不可能な刺繍枠はグレー表示される（Ｓ34〜Ｓ36）。編集処理後の使用可能な刺繍枠と編集処理前に使用可能な刺繍枠とが異なる場合に（Ｓ38：Yes ）、使用可能な刺繍枠が点滅表示され且つ警告ブザー１５が鳴動される（Ｓ39）。【選択図】  図４
2006271597.tif 000002
【特許請求の範囲】
【請求項１】
複数の刺繍模様から任意の刺繍模様を選択する模様選択手段と、前記模様選択手段で選択された刺繍模様を表示させる表示制御手段と、前記表示制御手段のディスプレイに表示された刺繍模様に編集処理を施す模様編集手段とを備えた刺繍データ編集処理装置において、
前記模様選択手段により選択され、前記模様編集手段による編集処理前の刺繍模様について、その刺繍模様の刺繍データに基づいてその刺繍模様の縫製に使用可能な刺繍枠を検出する第１検出手段と、
前記模様編集手段により編集処理された編集処理後の刺繍模様の縫製に使用可能な刺繍枠を検出する第２検出手段と、
前記第２検出手段により検出された前記使用可能な刺繍枠が、前記第１検出手段により検出された使用可能な刺繍枠と異なる場合に、その旨を報知する報知手段と、
を備えたことを特徴とする刺繍データ編集処理装置。
【請求項２】
前記表示制御手段は、前記第１検出手段により使用可能と検出された刺繍枠とそれ以外の使用不可能な刺繍枠とを識別表示する一方、前記前記第２検出手段により使用可能と検出された刺繍枠とそれ以外の使用不可能な刺繍枠とを前記ディスプレイに識別表示するように構成され、
前記報知手段は、編集処理後に使用可能な刺繍枠を前記ディスプレイに対して点滅表示させることを特徴とする請求項１に記載の刺繍データ編集処理装置。
【請求項３】
前記表示制御手段は、前記第１検出手段により使用可能と検出された刺繍枠とそれ以外の使用不可能な刺繍枠とを識別表示する一方、前記前記第２検出手段により使用可能と検出された刺繍枠とそれ以外の使用不可能な刺繍枠とを前記ディスプレイに識別表示するように構成され、
前記報知手段は、編集処理後に使用不可能となった刺繍枠を前記ディスプレイに対して点滅表示させることを特徴とする請求項１に記載の刺繍データ編集処理装置。
【請求項４】
前記表示制御手段は、前記第１検出手段により使用可能と検出された刺繍枠を前記ディスプレイに表示するとともに、前記第２検出手段により使用可能と検出された刺繍枠を前記ディスプレイに表示させるように構成され、
前記報知手段は、編集処理後に使用可能な刺繍枠を前記ディスプレイに対して点滅表示させることを特徴とする請求項１に記載の刺繍データ編集処理装置。
【請求項５】
前記表示制御手段は、前記第１検出手段により検出された編集処理前に使用可能な刺繍枠を表示する一方、前記編集処理前に使用可能な刺繍枠のうち第２検出手段により検出された編集処理後に使用可能な刺繍枠以外の使用不可能な刺繍枠を識別表示するように構成され、
前記報知手段は、第２検出手段により検出された編集処理後に使用可能な刺繍枠を前記ディスプレイに対して点滅表示させることを特徴とする請求項１に記載の刺繍データ編集処理装置。
【請求項６】
前記表示制御手段は、前記第１検出手段により検出された編集処理前に使用可能な刺繍枠を表示する一方、前記編集処理前に使用可能な刺繍枠のうち第２検出手段により検出された編集処理後に使用可能な刺繍枠以外の使用不可能な刺繍枠を識別表示するように構成され、
前記報知手段は、第２検出手段により検出された編集処理後に使用可能な刺繍枠以外の使用不可能な刺繍枠を前記ディスプレイに対して点滅表示させることを特徴とする請求項１に記載の刺繍データ編集処理装置。
【請求項７】
前記報知手段は、音声出力手段により警告音を発生させることを特徴とする請求項２〜６の何れかに記載の刺繍データ編集処理装置。
【発明の詳細な説明】
【技術分野】
【０００１】
本発明は、刺繍データに基づいて模様選択手段で選択した刺繍模様に編集処理が可能な刺繍データ編集処理装置に関し、特に編集処理手段による編集処理後の刺繍模様を縫製可能な刺繍枠をディスプレイに表示するようにしたものに関する。
【背景技術】
【０００２】
従来、刺繍ミシンを用いて、縫製対象である加工布に刺繍縫いを施す場合、その加工布を刺繍枠に取付けるとともに、その刺繍枠を刺繍機に装着して刺繍縫製を行う。この場合、刺繍縫いする刺繍模様のサイズよりも大きな刺繍範囲を有する刺繍枠を使用する必要がある。しかし、刺繍範囲の大きさが異なる複数種類の刺繍枠が準備されている場合、作業者は何れの刺繍枠を採用するのかを決めなければならず、戸惑うことにもなる。
【０００３】
この場合、仮に、刺繍縫いする刺繍模様の大きさよりも小さい刺繍範囲を有する刺繍枠を選択した場合、縫針が刺繍枠に衝突して縫針の損傷にも成りかねない。そこで、選択した刺繍模様を縫製するに際して、或いは選択した刺繍模様を編集処理した後の刺繍模様を縫製するに際して、刺繍縫いに適した刺繍枠を表示させるようにした刺繍データ編集処理装置が提案されている。
【０００４】
例えば、特許文献１に記載の縫製データ処理装置は、縫製模様データに基づいて表示手段に表示された縫製模様のうちから、所望の縫製模様を選択する一方、その縫製模様を所定位置に適宜配置した場合、配置後の縫製模様に対して使用可能な刺繍枠が表示手段に表示されるように、或いは使用不可能な刺繍枠が消去されるようにしてある。それ故、作業者は使用不可能な刺繍枠を誤って選択することを防止し、最適な刺繍枠を容易に決定することができる。
【特許文献１】特開平９−１６４２８２号公報  （第４〜６頁、図８〜図１０）
【発明の開示】
【発明が解決しようとする課題】
【０００５】
前述した特許文献１に記載の縫製データ処理装置においては、選択された縫製模様に対して、この縫製模様の縫製に使用可能な刺繍枠を表示手段に表示する、或いは使用不可能な刺繍枠が消去されるようにしてあるが、作業者が縫製模様を選択後に、その縫製模様に所望の編集処理を施した場合、例えば、模様サイズを拡大したり、回転させたり、又は移動させるような編集処理を施した場合、表示手段において、使用可能な刺繍枠の種類（大きさ）が変更される。
【０００６】
しかし、特に縫製作業に不慣れな作業者は、表示画面に表示された使用可能な刺繍枠の変化に気付かなかったり、使用可能な刺繍枠が変更されたことを表示上で確認しない場合が多く、誤った刺繍枠を刺繍機に装着した状態で、縫製作業を開始する場合がある。特に、表示用のディスプレイが小型であったり、しかもモノクロ表示用の場合には、表示内容の変化を確認しにくい傾向にあるため、使用可能な刺繍枠の確認ミスが起こり易いという問題がある。
【課題を解決するための手段】
【０００７】
請求項１に係る刺繍データ編集処理装置は、複数の刺繍模様から任意の刺繍模様を選択する模様選択手段と、模様選択手段で選択された刺繍模様を表示させる表示制御手段と、表示制御手段のディスプレイに表示された刺繍模様に編集処理を施す模様編集手段とを備えた刺繍データ編集処理装置において、模様選択手段により選択され、模様編集手段による編集処理前の刺繍模様について、その刺繍模様の刺繍データに基づいてその刺繍模様の縫製に使用可能な刺繍枠を検出する第１検出手段と、模様編集手段により編集処理された編集処理後の刺繍模様の縫製に使用可能な刺繍枠を検出する第２検出手段と、第２検出手段により検出された使用可能な刺繍枠が、第１検出手段により検出された使用可能な刺繍枠と異なる場合に、その旨を報知する報知手段とを備えたものである。
【０００８】
模様選択手段により任意の刺繍模様が選択された場合、その選択された刺繍模様が表示制御手段のディスプレイに表示される。このように、模様編集手段による編集処理前の刺繍模様について、第１検出手段によりその刺繍模様の縫製に使用可能な刺繍枠が検出される。その後、模様編集手段により編集処理が施された場合、第２検出手段により編集処理された編集処理後の刺繍模様の縫製に使用可能な刺繍枠が検出される。
【０００９】
このとき、編集処理後に使用可能な刺繍枠が、編集処理前において使用可能な刺繍枠と異なる場合には、報知手段によりその旨が報知される。このような報知により、作業者は、編集処理した結果、使用可能な刺繍枠が変更されたことに気付く。
【００１０】
請求項２に係る刺繍データ編集処理装置は、請求項１の発明において、前記表示制御手段は、第１検出手段により使用可能と検出された刺繍枠とそれ以外の使用不可能な刺繍枠とを識別表示する一方、第２検出手段により使用可能と検出された刺繍枠とそれ以外の使用不可能な刺繍枠とを前記ディスプレイに識別表示するように構成され、報知手段は、編集処理後に使用可能な刺繍枠をディスプレイに対して点滅表示させるものである。
【００１１】
請求項３に係る刺繍データ編集処理装置は、請求項１の発明において、前記表示制御手段は、第１検出手段により使用可能と検出された刺繍枠とそれ以外の使用不可能な刺繍枠とを識別表示する一方、第２検出手段により使用可能と検出された刺繍枠とそれ以外の使用不可能な刺繍枠とをディスプレイに識別表示するように構成され、報知手段は、編集処理後に使用不可能となった刺繍枠をディスプレイに対して点滅表示させるものである。
【００１２】
請求項４に係る刺繍データ編集処理装置は、請求項１の発明において、前記表示制御手段は、第１検出手段により使用可能と検出された刺繍枠をディスプレイに表示するとともに、第２検出手段により使用可能と検出された刺繍枠をディスプレイに表示させるように構成され、報知手段は、編集処理後に使用可能な刺繍枠をディスプレイに対して点滅表示させるものである。
【００１３】
請求項５に係る刺繍データ編集処理装置は、請求項１の発明において、前記表示制御手段は、第１検出手段により検出された編集処理前に使用可能な刺繍枠を表示する一方、編集処理前に使用可能な刺繍枠のうち第２検出手段により検出された編集処理後に使用可能な刺繍枠以外の使用不可能な刺繍枠を識別表示するように構成され、報知手段は、第２検出手段により検出された編集処理後に使用可能な刺繍枠をディスプレイに対して点滅表示させるものである。
【００１４】
請求項６に係る刺繍データ編集処理装置は、請求項１の発明において、前記表示制御手段は、第１検出手段により検出された編集処理前に使用可能な刺繍枠を表示する一方、編集処理前に使用可能な刺繍枠のうち第２検出手段により検出された編集処理後に使用可能な刺繍枠以外の使用不可能な刺繍枠を識別表示するように構成され、報知手段は、第２検出手段により検出された編集処理後に使用可能な刺繍枠以外の使用不可能な刺繍枠をディスプレイに対して点滅表示させるものである。
【００１５】
請求項７に係る刺繍データ編集処理装置は、請求項２〜６の何れかの発明において、前記報知手段は、音声出力手段により警告音を発生させるものである。
【発明の効果】
【００１６】
請求項１の発明によれば、模様選択手段と表示制御手段と模様編集手段とを備えた刺繍データ編集処理装置において、第１検出手段と、第２検出手段と報知手段とを設け、選択された刺繍模様が編集処理前の時点における使用可能な刺繍枠に対して、編集処理後の刺繍模様の縫製に使用可能な刺繍枠が異なる場合に、その旨が報知されるので、縫製作業に不慣れな作業者でも、その報知により、使用可能な刺繍枠の変更を確実に気付かせることができる。それ故、最終的に使用可能な刺繍枠の確認ミスを確実に防止することができ、縫製作業の円滑化が図れる。
【００１７】
請求項２の発明によれば、前記表示制御手段は、第１検出手段により使用可能と検出された刺繍枠とそれ以外の使用不可能な刺繍枠とを識別表示する一方、第２検出手段により使用可能と検出された刺繍枠とそれ以外の使用不可能な刺繍枠とをディスプレイに識別表示するように構成され、報知手段は、編集処理後に使用可能な刺繍枠をディスプレイに対して点滅表示させるので、編集処理を施した結果、最終的に使用可能な刺繍枠が点滅表示により明確化されるため、使用可能な刺繍枠の確認ミスを確実に防止することができ、縫製作業の円滑化が図れる。その他請求項１と同様の効果を奏する。
【００１８】
請求項３の発明によれば、前記表示制御手段は、第１検出手段により使用可能と検出された刺繍枠とそれ以外の使用不可能な刺繍枠とを識別表示する一方、第２検出手段により使用可能と検出された刺繍枠とそれ以外の使用不可能な刺繍枠とをディスプレイに識別表示するように構成され、報知手段は、編集処理後に使用不可能となった刺繍枠をディスプレイに対して点滅表示させるので、編集処理を施した結果、最終的に使用不可能な刺繍枠が点滅表示により明確化されるため、その使用不可能な刺繍枠を除いた、つまり最終的に使用可能な刺繍枠の確認ミスを確実に防止することができ、縫製作業の円滑化が図れる。その他請求項１と同様の効果を奏する。
【００１９】
請求項４の発明によれば、前記表示制御手段は、第１検出手段により使用可能と検出された刺繍枠をディスプレイに表示するとともに、第２検出手段により使用可能と検出された刺繍枠をディスプレイに表示させるように構成され、報知手段は、編集処理後に使用可能な刺繍枠をディスプレイに対して点滅表示させるので、編集処理を施した結果、最終的に使用可能な刺繍枠が点滅表示により明確化されるため、使用可能な刺繍枠の確認ミスを確実に防止することができ、縫製作業の円滑化が図れる。その他請求項１と同様の効果を奏する。
【００２０】
請求項５の発明によれば、前記表示制御手段は、第１検出手段により検出された編集処理前に使用可能な刺繍枠を表示する一方、編集処理前に使用可能な刺繍枠のうち第２検出手段により検出された編集処理後に使用可能な刺繍枠以外の使用不可能な刺繍枠を識別表示するように構成され、報知手段は、第２検出手段により検出された編集処理後に使用可能な刺繍枠をディスプレイに対して点滅表示させるので、編集処理を施した結果、最終的に使用可能な刺繍枠が点滅表示により明確化されるため、使用可能な刺繍枠の確認ミスを確実に防止することができ、縫製作業の円滑化が図れる。その他請求項１と同様の効果を奏する。
【００２１】
請求項６の発明によれば、前記表示制御手段は、第１検出手段により検出された編集処理前に使用可能な刺繍枠を表示する一方、編集処理前に使用可能な刺繍枠のうち第２検出手段により検出された編集処理後に使用可能な刺繍枠以外の使用不可能な刺繍枠を識別表示するように構成され、報知手段は、第２検出手段により検出された編集処理後に使用可能な刺繍枠以外の使用不可能な刺繍枠をディスプレイに対して点滅表示させるので、編集処理を施した結果、最終的に使用不可能な刺繍枠が点滅表示により明確化される。それ故、その使用不可能な刺繍枠を除いた、つまり最終的に使用可能な刺繍枠の確認ミスを確実に防止することができ、縫製作業の円滑化が図れる。その他請求項１と同様の効果を奏する。
【００２２】
請求項７の発明によれば、前記報知手段は、音声出力手段により警告音を発生させるので、編集処理後に最終的に使用可能な刺繍枠に変更が生じたことを音声で認識できるようになり、使用可能な刺繍枠の確認効果を高めることができる。その他請求項２〜７の何れかと同様の効果を奏する。
【発明を実施するための最良の形態】
【００２３】
本実施例における刺繍データ編集装置は、複数種類の刺繍模様のうちから選択された刺繍模様に編集処理を施した場合に、編集処理前の刺繍模様を縫製する際に使用可能な刺繍枠の組合せに対して、編集処理後の刺繍模様を縫製する際に使用可能な刺繍枠の組合せが異なる場合に、点滅表示により警告報知するようにしてある。
【実施例】
【００２４】
電子制御式ミシンＭは、後述する刺繍枠駆動装置３０（刺繍装置）を装着することで刺繍模様の縫製が可能であり、図１に示すように、ミシンベッド部１と、ベッド部１の右端部から立設された脚柱部２と、脚柱部２の上端からベッド部１に対向するように左方へ延びるアーム部３を有する。
【００２５】
ベッド部１には、送り歯（図示略）を上下動させる送り歯上下動機構（図示略）及び前後動させる送り歯前後動機構（図示略）、下糸ボビンを収容し縫針６と協働する糸輪捕捉器（例えば、水平釜）等が設けられている。
【００２６】
脚柱部２には、オプション的に追加される多数の刺繍模様の刺繍データを記録したＲＯＭカード４０を、内部のカード用コネクタ１３（図２参照）に接続する為のカード用スロット２ａが形成されるとともに、フレキシブルディスクドライブ２９（図２参照）にフレキシブルディスクＦＤを装着する為のディスク用スロット２ｂが形成されている。
【００２７】
アーム部３には、下端に縫針６を装着した針棒５を上下動させる針棒駆動機構（図示略）、針棒５を布送り方向と直交する方向に揺動させる針棒揺動機構（図示略）、図示外の天秤を針棒５の上下動に調時して上下動させる天秤駆動機構（図示略）等が設けられている。尚、送り歯上下動機構と針棒駆動機構と天秤駆動機構とはミシンモータ１７で駆動され、針棒揺動機構は針棒揺動用ステッピングモータ１８で駆動され、送り歯前後動機構は送り歯前後駆動用ステッピングモータ１９で駆動される（図２参照）。
【００２８】
アーム部３の頭部４には、縫製作業の起動と停止を指令する起動・停止スイッチ１２が設けられている。アーム部３の前面にはカラー液晶ディスプレイ（以下、単にディスプレイと言う）１０が設けられ、このディスプレイ１０には、実用模様や刺繍模様等の種々の縫目模様や各種の機能名、更には模様名や種々のメッセージ等が表示される。
【００２９】
このディスプレイ１０の前面に、複数の刺繍模様や模様名や機能を示す機能名の表示位置の各々に対応させて、透明電極からなるタッチキー１１がマトリックス状に設けられている。即ち、所望の刺繍模様の選択や機能の指示を、これら刺繍模様や模様名や機能名に対応するタッチキー１１を押圧操作することで実現することができる。
【００３０】
前記ベッド部１の左端側部分には、通称フリーアームと称されるフリーベッド部が形成され、このフリーベッド部に刺繍枠駆動機構（所謂、刺繍装置）３０が着脱可能に装着される。
【００３１】
この刺繍枠駆動機構３０は、その本体ケース３０ａと、加工布を着脱自在に装着する刺繍枠３１と、図示外の取付け部（キャリッジ）に取付けられた刺繍枠３１をＹ方向（前後方向）へ駆動するＹ方向駆動機構を内蔵したＹ方向駆動部３２と、このＹ方向駆動部３２をＸ方向（左右方向）へ駆動するＸ方向駆動機構であって本体ケース３０ａ内に収容されたＸ方向駆動機構とを備えており、Ｘ方向駆動機構は第１ステッピングモータ３３で駆動され、Ｙ方向駆動機構は第２ステッピングモータ３４で駆動される（図２参照）。
【００３２】
刺繍枠駆動機構３０がフリーベッド部に装着されると、第１，第２ステッピングモータ３３，３４が、コネクタ１４を介してミシンＭの制御装置２０に電気的に接続され、制御装置２０により第１，第２ステッピングモータ３３，３４が駆動制御され、加工布がセットされた刺繍枠３１をＸ方向とＹ方向とに独立に移動駆動しつつ、ミシンモータ１７により針棒５を上下駆動することにより刺繍縫製できるようになっている。次に、電子制御式ミシンＭの制御系について説明する。
【００３３】
図２に示すように、制御装置２０は、入力インターフェース２１と、ＣＰＵ２２とＲＯＭ２３及びＲＡＭ２４と電気的に書換え可能な不揮発性のフラッシュメモリ２５とを含むコンピュータと、フレキシブルディスクドライブ（ＦＤＤ）２９を駆動するフレキシブルディスクコントローラ（ＦＤＣ）２８と、出力インターフェース２６と、これらを接続するデータバスなどのバス２７とを有する。入力インターフェース２１には、起動・停止スイッチ１２と、タッチキー１１と、ミシン主軸の複数の回転位相を検出するタイミング信号発生器１６などが接続されている。
【００３４】
出力インターフェース２６には、前述の各モータ１７〜１９と、カラーディスプレイ（ＬＣＤ）１０の為のディスプレイコントローラ（ＬＣＤＣ）９と、刺繍枠駆動機構３０の第１，第２ステッピングモータ３３，３４がコネクタ１４を介して接続されている。また、前記ＲＯＭカード４０のＲＯＭ４１はコネクタ１３を介してバス２７に接続されるとともに、ＦＤＣ２８もバス２７に接続されている。
【００３５】
前記ＲＯＭ２３には、後述する３つの刺繍枠３１（Ｌ刺繍枠，Ｍ刺繍枠，Ｓ刺繍枠）と夫々の縫製可能範囲とを対応させた刺繍枠情報と、送り歯による布送りにより実用模様を縫製する縫製制御や表示制御の一般的な制御プログラムに加えて、選択した刺繍模様に対してディスプレイ１０を介して拡大や縮小や回転等の編集処理をディスプレイ上で編集処理する為の編集処理プログラムと、選択された刺繍模様を刺繍枠駆動機構３０による布送りにより刺繍縫製する刺繍縫製処理の為の縫製制御プログラム、本願特有の後述の刺繍データ編集制御の制御プログラム等が予め格納されている。
【００３６】
前記ＲＡＭ２４に設けられた刺繍データメモリ２４ａには、選択された刺繍模様の刺繍データが格納される。また、ＲＡＭ２４に設けられた刺繍枠メモリ２４ｂには、編集処理が実行される毎に最新の使用可能な刺繍枠３１の種類が記憶される。更に、ＲＡＭ２４には、前述した各種の制御に必要なメモリ類（フラグやポインタやカウンタ等のメモリ、レジスタやバッファ等）が設けられている。
【００３７】
次に、制御装置２０で実行される刺繍データ編集制御のルーチンについて、図３のフローチャートに基づいて説明する。但し、図中符号Ｓｉ（ｉ＝１１、１２、１３・・・）は各ステップを示すものである。
【００３８】
作業者による電源の投入によりこの制御が開始されると、先ず、ＲＡＭ２４の各メモリをクリアする等の初期化処理が実行され、ＲＯＭ２３に記憶された刺繍データ中の模様の種類（分類）や刺繍データが記憶された記憶媒体（図５の例ではＲＯＭカード４０）を指定する為の模様種類選択画面（図５参照）がディスプレイ１０に表示される（Ｓ11）。次に、作業者により、表示された模様種類選択画面の中から、タッチキー１１の操作により１つの模様種類、ここでは例えば、符号１０ａで示す「動物・乗り物」が選択されると（Ｓ12：Yes ）、この「動物・乗り物」の模様種類に属する刺繍模様から所望の模様を選択する為の模様選択画面（図６参照）がディスプレイ１０に表示される（Ｓ13）。
【００３９】
このとき、作業者により「戻るキー」が操作されると（Ｓ14：Yes ）、Ｓ11に戻り、再度模様種類選択画面が表示される。一方、模様選択画面の表示中に、表示された複数の刺繍模様の中から１つの刺繍模様（例えば、図６において符号１０ｂで示す「ゾウ」）が選択されると（Ｓ15：Yes ）、その選択された刺繍模様がディスプレイ１０に表示（図７参照）される（Ｓ16）。
【００４０】
しかし、作業者により「戻るキー」が操作されると（Ｓ17：Yes ）、Ｓ13に戻り、模様選択画面が表示される。そこで、Ｓ13〜Ｓ17を繰り返して実行することにより、複数の模様を選択することができる。次に、図７に示すように選択した刺繍模様がディスプレイ１０に表示された状態で、レイアウトキー１０ｅが操作されると（Ｓ19：Yes ）、図８に示すレイアウト画面がディスプレイ１０に表示される（Ｓ20）。
【００４１】
このレイアウト画面には、電子制御式ミシンＭの縫製可能範囲１０ｃと、選択された刺繍模様の輪郭の大きさを示す矩形状の外形枠１０ｄ（この場合には、選択された刺繍模様「ゾウ」について、たて３．０ｃｍ、よこ４．０ｃｍ）と、８方向への移動キー１１ａと、左右反転キー１１ｂと、９０度回転キー１１ｃと、完了キー１１ｄと、刺繍枠３１に関して、縫製範囲が大きいＬサイズのＬ刺繍枠ＬＫと、縫製範囲が小さいＳサイズのＳ刺繍枠ＳＫと、縫製範囲がＬサイズとＳサイズの中間である中間サイズのＭ刺繍枠ＭＫ等が表示される。
【００４２】
尚、刺繍模様の選択直後（即ち、移動キー１１ｄが操作される前の状態）においては、選択された刺繍模様は、縫製可能範囲１０ｃの中央（上下方向及び左右方向の双方に関して中央）に配置されるようになっており、Ｓ15における刺繍模様の選択後、レイアウトキー１０ｅが操作された状態では、図８に示すように、選択された刺繍模様の外形枠１０ｄが縫製可能範囲１０ｃの中央に表示される。
【００４３】
移動キー１１ａは、操作する毎に、縫製可能範囲１０ｃ内で矢印の方向に外形枠１０ｄ（選択された刺繍模様）を「０．１ｍｍ」ずつ移動させるためのキーである。左右反転キー１１ｂは、外形枠１０ｄ（選択された刺繍模様）を左右反転させるためのキーである。９０度回転キー１１ｃは、外形枠１０ｄ（選択された刺繍模様）を所定の方向に９０度回転させるためのキーである。ここで、これら複数の移動キー１１ａと、左右反転キー１１ｂと、９０度回転キー１１ｃ等を以降において、編集キーと総称する。
【００４４】
次に、刺繍模様を規定する外形枠１０ｄの大きさや配置に基づいて、使用可能な刺繍枠３１（Ｌ刺繍枠ＬＫ，Ｍ刺繍枠ＭＫ，Ｓ刺繍枠ＳＫ）を検出する刺繍枠検出制御（図４参照）が実行される。
【００４５】
この制御が開始されたときに、編集キーが操作されずに、編集処理が実行されていない場合には（Ｓ31：No）、選択した刺繍模様は、縫製可能範囲１０ｃの配置されている為、その刺繍模様の幅寸法ＷがＳ刺繍枠ＳＫの横方向縫製可能サイズＳＫｗ以下で且つその高さ寸法ＨがＳ刺繍枠ＳＫの縦方向縫製可能サイズＳＫｈ以下の場合には（Ｓ32：Yes ）、Ｌ，Ｍ，Ｓサイズの刺繍枠ＬＫ，ＭＫ，ＳＫが夫々有効表示（図８に示すように、実線による通常表示）される（Ｓ36）。
【００４６】
即ち、作業者により選択され、移動・左右反転・回転等の編集処理が施される前の刺繍模様が何れの刺繍枠の縫製範囲にも収まると判断され、その編集処理前の刺繍模様の縫製にＬ刺繍枠ＬＫ、Ｍ刺繍枠ＭＫ、Ｓ刺繍枠ＳＫの全ての刺繍枠が使用可能な刺繍枠として検出され、Ｌ刺繍枠ＬＫ、Ｍ刺繍枠ＭＫ、Ｓ刺繍枠ＳＫの全ての刺繍枠が有効表示（実線表示）されることとなる。
【００４７】
しかし、Ｓ32における判定が「No」（即ち、刺繍模様がＳ刺繍枠ＳＫの縫製範囲に収まらず、Ｓ刺繍枠ＳＫは使用不可能と判定された場合）であって、選択した刺繍模様の幅寸法ＷがＭ刺繍枠ＭＫの横方向縫製可能サイズＳＭｗ以下で且つその高さ寸法ＨがＭ刺繍枠ＭＫの縦方向縫製可能サイズＳＭｈ以下の場合には（Ｓ33：Yes ）、Ｌ，Ｍサイズの刺繍枠ＬＫ，ＭＫが有効表示（図９に示す実線表示）され且つＳ刺繍枠ＳＫについてはグレー表示（ハーフトーン表示であり、これが識別表示に相当する）される（Ｓ35）。
【００４８】
即ち、前述の通り作業者による編集処理が施される前の刺繍模様が、Ｓ刺繍枠ＳＫの縫製範囲には収まらず，Ｍ刺繍枠ＭＫ及びＬ刺繍枠ＬＫの針棒範囲には収まる為、その編集処理前の刺繍模様の縫製に使用可能な刺繍枠として、Ｌ刺繍枠ＬＫとＭ刺繍枠ＭＫが検出され、有効表示（実線表示）された使用可能なＬ刺繍枠ＬＫ、Ｍ刺繍枠ＭＫと、グレー表示された使用不可能なＳ刺繍枠ＳＫとが識別表示されることになる。
【００４９】
一方、Ｓ33における判定が「No」の場合（即ち、刺繍模様がＭサイズ刺繍枠ＭＫの縫製範囲に収まらないと判断された場合）には、Ｌの刺繍枠ＬＫだけが有効表示（図１０に示す実線表示）され且つＭ，Ｓ刺繍枠ＭＫ，ＳＫについてはグレー表示される（Ｓ34）。
【００５０】
つまり、編集処理前の刺繍模様が、Ｌの刺繍枠ＬＫのみの縫製範囲に収まる為、その刺繍模様の縫製に使用可能な刺繍枠として、Ｌ刺繍枠ＬＫが検出され、有効表示（実線表示）された使用可能なＬ刺繍枠ＬＫと、グレー表示された使用不可能なＭ刺繍枠ＭＫ、Ｓ刺繍枠ＳＫとが識別表示されることになる。
【００５１】
次に、このように、Ｓ34〜Ｓ36で有効表示されて使用可能な刺繍枠が刺繍枠メモリ２４ｂに記憶される（Ｓ37）。この場合には、編集処理されていない為、Ｓ38がスキップされ、この制御を終了して、刺繍データ編集制御にリターンする。
【００５２】
次に、刺繍データ編集制御において、完了キー１１ｄが操作された場合には（Ｓ22：Yes ）、Ｓ16以降の処理が実行される。一方、何れかの編集キーが操作された場合には（Ｓ23：Yes ）、操作された視へしキーに応じた編集処理が行われる（Ｓ24）。そして、前述した刺繍枠検出制御が実行され（Ｓ25）、Ｓ23に戻る。
【００５３】
この制御が開始されたときには、編集処理が行われており（Ｓ31：Yes ）、移動キー１１ａ操作による移動処理の場合には（Ｓ40）、選択した刺繍模様の幅寸法Ｗに移動キー１１ａ操作によるＸ方向移動量ｘを加算した幅寸法がＳ刺繍枠ＳＫの横方向縫製可能サイズＳＫｗ以下で且つ選択した刺繍模様の高さ寸法Ｈに移動キー１１ａ操作によるＹ方向移動量ｙを加算した高さ寸法がＳ刺繍枠ＳＫの縦方向縫製可能サイズＳＫｈ以下の場合には（Ｓ41：Yes ）、Ｓ36が実行される。これにより、移動処理後の刺繍模様について、使用可能な刺繍枠が検出され、前述と同様に、ディスプレイ１０に表示される（この場合は、全ての刺繍枠が有効表示）。
【００５４】
しかし、Ｓ41における判定が「No」（即ち、移動処理後の刺繍模様の縫製にＳ刺繍枠ＳＫは使用不可能な場合）であって、選択した刺繍模様の幅寸法ＷにＸ方向移動量ｘを加算した幅寸法がＭ刺繍枠ＭＫの横方向縫製可能サイズＳＭｗ以下で且つその高さ寸法ＨにＹ方向移動量ｙを加算した高さ寸法がＭ刺繍枠ＭＫの縦方向縫製可能サイズＳＭｈ以下の場合には（Ｓ42：Yes ）、Ｓ36が実行される。
【００５５】
つまり、移動処理後の刺繍模様の縫製に使用可能な刺繍枠としてＭ刺繍枠ＭＫ及びＬ刺繍枠ＬＫが検出され（Ｓ刺繍枠ＳＫは使用不可能）、ディスプレイ１０においてこれらＭ刺繍枠ＭＫ及びＬ刺繍枠ＬＫが有効表示（実線表示）されるとともに、Ｓ刺繍枠ＳＫがグレー表示されることにより、移動処理後の刺繍模様について使用可能な刺繍枠と使用不可能な刺繍枠とが識別表示されることになる。
【００５６】
一方、Ｓ42における判定が「No」の場合には、Ｓ34が実行される。つまり、移動処理後の刺繍模様の縫製に使用可能な刺繍枠としてＬ刺繍枠ＬＫが検出され（Ｓ刺繍枠ＳＫ及びＭ刺繍枠ＭＫは使用不可能）、ディスプレイ１０においてこのＬ刺繍枠ＬＫのみが有効表示（実線表示）されるとともに、Ｓ刺繍枠ＳＫ及びＭ刺繍枠ＭＫがグレー表示されることにより、移動処理後の刺繍模様について使用可能な刺繍枠と使用不可能な刺繍枠とが識別表示されることになる。
【００５７】
次に、このようにＳ34〜Ｓ36で有効表示されて使用可能な刺繍枠が刺繍枠メモリ２４ｂに更新して記憶される（Ｓ37）。この場合には、編集処理（刺繍模様移動処理）が実行された為、刺繍枠メモリ２４ｂへの使用可能な刺繍枠情報を更新記憶する際に、更新前（即ち、編集処理前）に記憶された刺繍枠情報と変更があるか否かが判断される（Ｓ38）。
【００５８】
つまり、Ｓ34〜Ｓ36により編集処理後の刺繍模様の縫製に使用可能な刺繍枠としてディスプレイ１０に有効表示される刺繍枠に関する情報と、編集処理前に使用可能な刺繍枠として刺繍枠メモリ２４ｂに記憶された情報とが異なる場合には（Ｓ38：Yes ）、編集処理後に使用可能な刺繍枠についてＳ34〜Ｓ36により有効表示される刺繍枠が点滅表示されるとともに、警告ブザー１５から警告音が出力され（Ｓ39）、作業者に対して編集処理後の刺繍模様に関して、使用可能な刺繍枠が変更されたことが報知される。その後、この制御を終了して、刺繍データ編集制御にリターンする。
【００５９】
そして、最終的に、起動停止スイッチ１２が操作されて縫製が開始されると（Ｓ18：Yes ）、編集キーで指示した編集処理が実行された刺繍模様の刺繍データに基づいて、針棒５（ミシンモータ１７）及び刺繍枠駆動装置３０を駆動することにより縫製処理が実行される。ここで、制御装置２０が刺繍データ編集処理装置に相当する。また、刺繍データ編集制御の特にＳ15等から模様選択手段が構成され、刺繍データ編集制御の特にＳ16等から表示制御手段が構成され、刺繍データ編集制御の特にＳ24等から模様編集手段が構成されている。
【００６０】
更に、刺繍枠検出制御の特にＳ31〜Ｓ33等から第１検出手段が構成され、刺繍枠検出制御の特にＳ31，Ｓ40〜Ｓ44等から第２検出手段が構成され、刺繍枠検出制御の特にＳ38，Ｓ39及び警告ブザー１５等から報知手段が構成されている。
【００６１】
即ち、編集処理前の刺繍模様の縫製に際して、全て（３つ）の刺繍枠ＬＫ，ＭＫ，ＳＫが使用可能な場合には、図８に示すように、３つの刺繍枠ＬＫ，ＭＫ，ＳＫの全てが有効表示されているが、図９に示すように、編集処理後にＬ刺繍枠ＬＫとＭ刺繍枠ＭＫが使用可能であって有効表示される場合には、使用不可能なＳ刺繍枠ＳＫについてはグレー表示される。このとき、編集処理後に使用可能なＬ刺繍枠ＬＫとＭ刺繍枠ＭＫが点滅表示され、警告ブザーが鳴る。それ故、作業者は、Ｌ刺繍枠ＬＫとＭ刺繍枠ＭＫの点滅表示とブザー音により、使用可能な刺繍枠が変更されたことを確実に認識することができる。
【００６２】
また、編集処理前の刺繍模様の縫製に際して、Ｌ刺繍枠ＬＫとＭ刺繍枠ＭＫとが使用可能な場合には、図９に示すように、Ｌ刺繍枠ＬＫとＭ刺繍枠ＭＫとが有効表示され且つ使用不可能なＳ刺繍枠ＳＫがグレー表示されているが、図１０に示すように、編集処理後にＬ刺繍枠ＬＫだけが使用可能であって有効表示される場合には、使用不可能なＭ刺繍枠ＭＫとＳ刺繍枠ＳＫとについてはグレー表示される。このとき、編集処理後に使用可能なＬ刺繍枠ＬＫが点滅表示され、同時に警告ブザーが鳴る。それ故、作業者は、Ｌ刺繍枠ＬＫの点滅表示とブザー音により、使用可能な刺繍枠が変更されたことを確実に認識することができる。
【００６３】
次に、前記実施の形態の変更形態について説明する。
【００６４】
１〕図１１に示すように、前述した刺繍枠検出制御を部分的に変更し、編集処理後に使用不可能な刺繍枠を点滅表示させるようにしてもよい。即ち、変更されたステップについて説明すると、編集処理後に使用可能な刺繍枠が、刺繍枠メモリ２４ｂに記憶されている編集処理前に使用可能な刺繍枠と異なる場合には（Ｓ38：Yes ）、編集処理後に使用不可能なグレー表示された刺繍枠が点滅表示されるとともに、警告ブザーから警告音が出力される（Ｓ39A ）。尚、この使用不可能な刺繍枠については、所定時間点滅表示した後、ディスプレイ１０から消去されるように構成してもよい。この場合にも、前述した実施例と同様の効果を奏することができる。
【００６５】
２〕図１２に示すように、前述した刺繍枠検出制御を部分的に変更し、使用可能な刺繍枠だけを有効表示（Ｓ34A ，Ｓ35A)する一方、編集処理後に使用可能な刺繍枠を点滅表示させるようにしてもよい。
【００６６】
即ち、編集処理前には３つの刺繍枠ＬＫ，ＭＫ，ＳＫの全てが使用可能な場合には、図８に示すように、これら刺繍枠ＬＫ，ＭＫ，ＳＫが有効表示されているが、図１３に示すように、編集処理後にＬ刺繍枠ＬＫとＭ刺繍枠ＭＫとが使用可能な場合には、これら２つの刺繍枠ＬＫ，ＭＫが有効表示且つ点滅表示される。但し、編集処理後に使用不可能なＳ刺繍枠ＳＫは表示されない。この場合にも、前述した実施例と同様の効果を奏することができる。
【００６７】
３〕前述した刺繍枠検出制御を部分的に変更し、編集処理前に使用可能な刺繍枠のうち、編集処理後に使用可能な刺繍枠を点滅表示させるようにしてもよい。即ち、図１４に示すように、編集処理前において、Ｌ刺繍枠ＬＫとＭ刺繍枠ＭＫとが使用可能な場合には、これら２つの刺繍枠ＬＫ，ＭＫが有効表示され、使用不可能なＳ刺繍枠ＳＫは表示されない。
【００６８】
編集処理後にこれら２つの刺繍枠ＬＫ，ＭＫのうちのＬ刺繍枠ＬＫだけが使用可能になった場合には、図１５に示すように、使用可能なＬ刺繍枠ＬＫを有効表示し且つ使用不可能になったＭ刺繍枠ＭＫがグレー表示され、しかも使用可能なＬ刺繍枠ＬＫが点滅表示される。この場合にも、前述した実施例と同様の効果を奏することができる。
【００６９】
４〕前述した刺繍枠検出制御を部分的に変更し、編集処理前に使用可能な刺繍枠のうち、編集処理後に使用不可能な刺繍枠を点滅表示させるようにしてもよい。即ち、図１４に示すように、編集処理前において、Ｌ刺繍枠ＬＫとＭ刺繍枠ＭＫとが使用可能な場合には、これら２つの刺繍枠ＬＫ，ＭＫが有効表示され、使用不可能なＳ刺繍枠ＳＫは表示されない。
【００７０】
編集処理後にこれら２つの刺繍枠ＬＫ，ＭＫのうちのＬ刺繍枠ＬＫだけが使用可能になった場合には、図１６に示すように、使用可能なＬ刺繍枠ＬＫを有効表示し且つ使用不可能になったＭ刺繍枠ＭＫがグレー表示され、しかも使用不可能なＭ刺繍枠ＭＫが点滅表示される。この場合にも、前述した実施例と同様の効果を奏することができる。
【００７１】
５〕刺繍枠検出制御におけるＳ39，Ｓ39A において、点滅表示させる刺繍枠の表示色を「赤」や「緑」等、奇抜な色で識別表示させるようにしてもよい。また、点滅させる刺繍枠又は点滅しない刺繍枠を、ユラユラと揺れる状態で識別表示させたり、回転させることで識別表示させるようにしてもよい。更に、警告ブザー１５に代えてスピーカを装備している場合には、そのスピーカにより警告メッセージを出力させるようにしてもよい。
【００７２】
６〕前記実施形態においては、編集処理として、刺繍模様の移動処理を例に挙げて説明したが、移動処理に限らず、刺繍模様の左右反転、回転、拡大や縮小といった編集処理の場合にも、前記実施形態の場合と同様にして、編集処理後の刺繍模様の縫製に使用可能な刺繍枠が変更されたことを報知するように構成できる。
【００７３】
７〕前記実施形態においては、編集処理前の刺繍枠に関する刺繍枠検出処理（Ｓ21）を、レイアウトキー１０ｅの操作後に行うようにしたが、これをＳ15による模様選択後、Ｓ16において選択された刺繍模様を表示する際に行うようにしても良く、その場合、図７に示す選択模様の表示画面にて使用可能な刺繍枠が表示されることになる。
【００７４】
８〕本発明は以上説明した実施の形態に限定されるものではなく、当業者でれば、本発明の趣旨を逸脱しない範囲で、前記実施例に種々の変更を付加して実施することができ、本発明はそれらの変更形態をも包含するものである。
【図面の簡単な説明】
【００７５】
【図１】本発明の実施例に係る電子制御式ミシンの斜視図である。
【図２】電子制御式ミシンの制御系のブロック図である。
【図３】刺繍データ編集制御のフローチャートである。
【図４】刺繍枠検出制御のフローチャートである。
【図５】ディスプレイに表示された模様種類選択画面の説明図である。
【図６】模様選択画面の説明図である。
【図７】選択された模様の表示画面の説明である。
【図８】レイアウト画面の説明図である。
【図９】移動編集処理後の図８相当図である。
【図１０】移動編集処理後の図８相当図である。
【図１１】変更形態に係る図４相当図である。
【図１２】変更形態に係る図４相当図である。
【図１３】レイアウト画面における使用可能な刺繍枠の点滅表示の説明図である。
【図１４】レイアウト画面における刺繍枠表示の説明図である。
【図１５】レイアウト画面における使用可能な刺繍枠の点滅表示の説明図である。
【図１６】レイアウト画面における使用不可能な刺繍枠の点滅表示の説明図である。
【符号の説明】
【００７６】
Ｍ      電子制御式ミシン
１５    警告ブザー
１０    液晶ディスプレイ
２０    制御装置
ＬＫ    Ｌ刺繍枠
ＭＫ    Ｍ刺繍枠
ＳＫ    Ｓ刺繍枠
【図１】
2006271597.tif 000003
【図２】
2006271597.tif 000004
【図３】
2006271597.tif 000005
【図４】
2006271597.tif 000006
【図５】
2006271597.tif 000007
【図６】
2006271597.tif 000008
【図７】
2006271597.tif 000009
【図８】
2006271597.tif 000010
【図９】
2006271597.tif 000011
【図１０】
2006271597.tif 000012
【図１１】
2006271597.tif 000013
【図１２】
2006271597.tif 000014
【図１３】
2006271597.tif 000015
【図１４】
2006271597.tif 000016
【図１５】
2006271597.tif 000017
【図１６】
2006271597.tif 000018